(57)【要約】【課題】脱着可能な記憶媒体を本体内に収容可能にされた電子機器において、機器の体積の増大や使用感の低下を抑制しつつ、電子機器に補助電源として電力を供給することができる電池パック、およびこれを用いる電子機器を提供する。【解決手段】電池パック７を、メモリカード６と同一の形状にした。また、電池パック７に、メモリカード６と判別するための接続端子７６を備えた。そして、デジタルカメラ１は、電池パック７が収容部５に収容された場合に、接続端子７６と接続される接続端子１６の電圧に基づいて、収容部５に収容されたものが電池パック７であるか否かを検出する抵抗Ｒ１、バッファ１０４を備え、電池パック７であることが検出された場合に、充電部１０３により電池パック７から出力される電流に基づいて二次電池４を充電させる。【選択図】図３
2008034260.tif 000002
【特許請求の範囲】
【請求項１】
記憶媒体と電池とを判別するための判別部を備えた電池パック及び前記記憶媒体のうちいずれか一つを、選択的に本体内に収容可能な収容部と、
前記収容部に、前記電池パックが収容された場合に、前記判別部を検出することにより、前記収容部に前記電池パックが収容されたことを検出する種別検出部と、
電力を蓄える蓄電素子を接続するための電源端子と、
前記電源端子に接続された蓄電素子を充電する充電部と、
前記種別検出部によって、前記収容部に前記電池パックが収容されたことが検出された場合に、前記充電部により前記電池パックから出力される電流に基づいて前記蓄電素子を充電させる制御部と
を備えることを特徴とする電子機器。
【請求項２】
前記判別部は、所定の判別用電圧を生じる判別用接続端子であり、
前記種別検出部は、前記収容部に前記電池パックが収容された場合に、前記判別用接続端子と接続される検出用接続端子を備え、前記検出用接続端子から、前記判別用電圧を検出した場合に、前記収容部に前記電池パックが収容されたことを検出すること
を特徴とする請求項１記載の電子機器。
【請求項３】
前記判別部は、前記電池パックの筐体において、前記記憶媒体に設けられた接続端子が配設されている位置と同一の位置に配設された、判別用接続端子であり、
前記判別用接続端子の入力インピーダンスは、前記記憶媒体に設けられた接続端子とは異なる判別用インピーダンスに設定されており、
前記種別検出部は、前記収容部に前記電池パックが収容された場合に、前記判別用接続端子と接続される検出用接続端子と、前記検出用接続端子の入力インピーダンスを検出するインピーダンス検出部とを備え、前記インピーダンス検出部により検出された検出用接続端子の入力インピーダンスが、前記判別用インピーダンスであった場合に、前記収容部に前記電池パックが収容されたことを検出すること
を特徴とする請求項１記載の電子機器。
【請求項４】
前記判別部は、前記電池パックの筐体において、前記記憶媒体の筐体と形状が異なる部分であり、
前記種別検出部は、前記判別部の形状に関する情報を検出する形状検出部を備え、前記形状検出部により検出された情報に基づいて、前記収容部に前記電池パックが収容されたことを検出すること
を備えることを特徴とする請求項１記載の電子機器。
【請求項５】
記憶媒体と略同一の形状にされた筐体と、
前記筐体に収容された電池と、
前記記憶媒体と前記電池とを判別するための判別部と
を備えたことを特徴とする電池パック。
【発明の詳細な説明】
【技術分野】
【０００１】
本発明は、電池パックを用いる電子機器、及び電池パックに関する。
【背景技術】
【０００２】
携帯電話機やデジタルカメラなどに代表される携帯型電子機器は、機能によりその消費電力が変化する。携帯型電子機器の市場は、高付加価値商品と低価格商品に二極化される傾向にあり、電子機器の高付加価値化には高機能化が不可欠である。例えば、デジタルカメラにおいては、画像の画素数が増大し、このような画像を保存するための、脱着可能なメモリカードを本体内に収容可能にされている。また、携帯電話機においても、デジタルカメラを内蔵したものが広く用いられるようになり、このような内蔵のデジタルカメラで撮影した画像データを保存するための、脱着可能なメモリカードを本体内に収容可能にされた携帯電話機が、広く用いられている。
【０００３】
一方、高機能化された携帯型電子機器は、消費電力が著しく増大するため、それらの主電源は、大容量、且つ高エネルギー密度の蓄電デバイスとなる。主電源として用いられる蓄電デバイスとしては、充電による繰返し使用が可能な二次電池が主に用いられている。しかしながら、携帯型電子機器の高機能化による消費電力の大幅な増大に対して、二次電池のエネルギー密度の向上が追い付いていないのが現状である。従って、二次電池のみでは、高機能型の携帯型電子機器を長期間動作させるのが困難となっている。そのため、これらの機器を使用するに際して、ユーザーが感じる不満として次の二点が挙げられる。一つは、充電１回当りの機器の使用可能時間が短く、頻繁に主電源を充電する必要が生じ、ユーザーが煩わしさを感じるというものである。これは、主電源の電池容量の不足が原因である。もう一つは、機器を使用するときに十分な電池容量が残存しておらず、機器を使用可能な充電レベルに達するまで充電を待つ必要が生じる、というものである。これは、二次電池の自己放電が大きいのが原因である。
【０００４】
以上のようなユーザーが感じる不満を解消するための一つの手段として、商用交流電源の代わりとなり、機器を持ち運びながら充電させることが可能な補助電源を用いる方法が提案されている。補助電源は、主電源に電力を供給しながら持ち運ぶことができ、移動中などでも主電源を充電することが可能であり、主電源の充電レベルを高い状態に維持できる。補助電源としては、主に大容量の１次電池が採用されている。補助電源の具体例としては、例えば携帯電話機用の補助電源として、携帯電話機の充電用端子部分に外部接続可能な電池パックが知られている（例えば、特許文献１参照。）。また、カメラ用の補助電源として、カメラ本体の側部（例えば、特許文献２参照。）や底部（例えば、特許文献３参照。）に外部接続可能な電池パックなどが提案されている。
【特許文献１】特開２００１−２３７９３８号公報
【特許文献２】特開平０８−３０４８９８号公報
【特許文献３】特開２００１−２２９８９１号公報
【発明の開示】
【発明が解決しようとする課題】
【０００５】
しかしながら、特許文献１に記載の補助電源のように、携帯電話の充電用端子部分に電池パックを外部接続する補助電源では、補助電源を携帯電話に接続して主電源を充電しながら携帯電話を使用する際、補助電源が邪魔になり、使用の妨げになるという課題があった。また、特許文献２や特許文献３に示されるカメラ本体の底部や側部に電池パックを接続し、カメラ内部の主電源の二次電池を充電する補助電源では、電池パックを含むカメラ全体の体積が増加するため、携帯性が低下してしまう課題があった。さらに、電池パックを接続した状態では、撮影時に手振れを起こしやすくなり、カメラの使用感が低下するという課題があった。
【０００６】
本発明は、このような事情に鑑みて為された発明であり、脱着可能な記憶媒体を本体内に収容可能にされた電子機器において、機器の体積の増大や使用感の低下を抑制しつつ、電子機器に補助電源として電力を供給することができる電池パック、およびこれを用いる電子機器を提供することを目的とする。
【課題を解決するための手段】
【０００７】
本発明に係る電子機器は、請求項1記載のように、記憶媒体と電池とを判別するための判別部を備えた電池パック及び前記記憶媒体のうちいずれか一つを、選択的に本体内に収容可能な収容部と、前記収容部に、前記電池パックが収容された場合に、前記判別部を検出することにより、前記収容部に前記電池パックが収容されたことを検出する種別検出部と、電力を蓄える蓄電素子を接続するための電源端子と、前記電源端子に接続された蓄電素子を充電する充電部と、前記種別検出部によって、前記収容部に前記電池パックが収容されたことが検出された場合に、前記充電部により前記電池パックから出力される電流に基づいて前記蓄電素子を充電させる制御部とを備える。
【０００８】
この構成によれば、収容部によって、記憶媒体の代わりに電池パックを本体内に収容することができる。そして、種別検出部によって、収容部に電池パックが収容されると、収容部に電池パックが収容されたことが検出される。さらに、種別検出部によって、収容部に電池パックが収容されたことが検出された場合に、制御部によって、充電部により電池パックから出力される電流に基づいて蓄電素子が充電される。この場合、記憶媒体の代わりに本体内に収容した電池パックを補助電源として用いることができるので、電子機器の体積の増大や使用感の低下を抑制しつつ、電池パックから電子機器へ電力を供給することが可能となる。
【０００９】
また、請求項２記載のように、前記判別部は、所定の判別用電圧を生じる判別用接続端子であり、前記種別検出部は、前記収容部に前記電池パックが収容された場合に、前記判別用接続端子と接続される検出用接続端子を備え、前記検出用接続端子から、前記判別用電圧を検出した場合に、前記収容部に前記電池パックが収容されたことを検出することが好ましい。
【００１０】
この構成によれば、収容部に電池パックが収容されると、電池パックの判別用接続端子と電子機器の検出用接続端子とが接続される。そして、種別検出部によって、検出用接続端子から、判別用接続端子により印加された所定の判別用電圧が検出された場合に、収容部に電池パックが収容されたことが検出される。この場合、検出用接続端子に印加される電圧に基づいて、収容部に電池パックが収容されたことを検出することができるので、種別検出部を構成することが容易となる。
【００１１】
また、請求項３記載のように、前記判別部は、前記電池パックの筐体において、前記記憶媒体に設けられた接続端子が配設されている位置と同一の位置に配設された、判別用接続端子であり、前記判別用接続端子の入力インピーダンスは、前記記憶媒体に設けられた接続端子とは異なる判別用インピーダンスに設定されており、前記種別検出部は、前記収容部に前記電池パックが収容された場合に、前記判別用接続端子と接続される検出用接続端子と、前記検出用接続端子の入力インピーダンスを検出するインピーダンス検出部とを備え、前記インピーダンス検出部により検出された検出用接続端子の入力インピーダンスが、前記判別用インピーダンスであった場合に、前記収容部に前記電池パックが収容されたことを検出するようにしてもよい。
【００１２】
この構成によれば、収容部に電池パックが収容されると、記憶媒体に設けられた接続端子が配設されている位置と同一の位置に配設された判別用接続端子と、電子機器の検出用接続端子とが接続される。そして、インピーダンス検出部により検出された検出用接続端子の入力インピーダンスが、判別用インピーダンスであった場合に、種別検出部によって、収容部に電池パックが収容されたことが検出される。この場合、記憶媒体に設けられた接続端子が配設されている位置と同一の位置に配設された判別用接続端子を用いて、収容部に収容されたものが電池パックであるか否かを判別することができるので、判別用接続端子を、電池パックにおける、記憶媒体において接続端子が設けられていない位置に設ける必要がなく、記憶媒体と略同一形状の電池パックに判別用接続端子を設けることが容易となる。
【００１３】
また、請求項４記載のように、前記判別部は、前記電池パックの筐体において、前記記憶媒体の筐体と形状が異なる部分であり、前記種別検出部は、前記判別部の形状に関する情報を検出する形状検出部を備え、前記形状検出部により検出された情報に基づいて、前記収容部に前記電池パックが収容されたことを検出するようにしてもよい。
【００１４】
この構成によれば、収容部に電池パックが収容されると、電池パックの、記憶媒体の筐体と形状が異なる部分である判別部の形状に関する情報が、形状検出部により検出される。そして、形状検出部により検出された、判別部の形状に関する情報に基づいて、種別検出部によって、収容部に電池パックが収容されたことが検出される。この場合、電池パックと記憶媒体との形状の違いにより、電池パックと記憶媒体とを判別することができるので、電池パックと記憶媒体とを判別するための、電気的な信号を生じる接続端子を設ける必要が無く、記憶媒体をアクセスするための接続端子の配置や電気的特性上の制約から、記憶媒体と同じ収容部に収容される電池パックに判別用の接続端子を設けることが困難な場合であっても、電池パックに判別部を設けることが容易となる。
【００１５】
本発明に係る電池パックは、請求項５記載のように、記憶媒体と略同一の形状にされた筐体と、前記筐体に収容された電池と、前記記憶媒体と前記電池とを判別するための判別部とを備える。
【００１６】
この構成によれば、電池パックの筐体が、記憶媒体と略同一の形状にされているので、脱着可能な記憶媒体を本体内に収容可能にされた電子機器に、記憶媒体の代わりに電池パックを収容させることが可能となる。また、この電池パックを収容した電子機器に、判別部を用いて、これが電池であることを判別させて補助電源として用いさせることが可能となる。これにより、電子機器の本体内にこの電池パックを収容させて電子機器の体積の増大や使用感の低下を抑制しつつ、電池パックから電子機器へ電力を供給することが可能となる。
【発明の効果】
【００１７】
このような構成の電子機器は、収容部によって、記憶媒体の代わりに電池パックを本体内に収容することができる。そして、種別検出部によって、収容部に収容されたものが、電池パックであるか否かが検出される。さらに、種別検出部によって、収容部に収容されたものが電池パックであることが検出された場合に、制御部によって、充電部により電池パックから出力される電流に基づいて蓄電素子が充電される。この場合、記憶媒体の代わりに本体内に収容した電池パックを補助電源として用いることができるので、電子機器の体積の増大や使用感の低下を抑制しつつ、電池パックから電子機器へ電力を供給することが可能となる。
【００１８】
また、このような構成の電池パックは、電池パックの筐体が、記憶媒体と略同一の形状にされているので、脱着可能な記憶媒体を本体内に収容可能にされた電子機器に、記憶媒体の代わりに電池パックを収容させることが可能となる。また、この電池パックを収容した電子機器に、判別部を用いて、これが電池であることを判別させて補助電源として用いさせることが可能となる。これにより、電子機器の本体内にこの電池パックを収容させて電子機器の体積の増大や使用感の低下を抑制しつつ、電池パックから電子機器へ電力を供給することが可能となる。
【発明を実施するための最良の形態】
【００１９】
以下、本発明に係る実施形態を図面に基づいて説明する。なお、各図において同一の符号を付した構成は、同一の構成であることを示し、その説明を省略する。図１は、本発明の一実施形態に係る電子機器の一例であるデジタルカメラの構成を示す斜視図である。図２（ａ）は、図１に示すデジタルカメラで用いられるメモリカードの構成の一例を示す概念図である。図２（ｂ）は、図１に示すデジタルカメラで用いられる電池パックの構成の一例を示す概念図である。
【００２０】
なお、電子機器は、脱着可能な記憶媒体を本体内に収容可能な機器であればよく、デジタルカメラや携帯電話機に限らない。
【００２１】
図１に示すデジタルカメラ１は、略箱状の筐体２を備えている。筐体２の正面略中央には、撮影用のレンズ３が取り付けられている。そして、筐体２の内部に、二次電池４（蓄電素子）が収容されている。また、筐体２には、図２（ａ）に示すメモリカード６（記憶媒体）及び図２（ｂ）に示す電池パック７のうちいずれか一つを選択的に収容可能な収容部５が設けられている。収容部５は、いわゆるメモリスロットである。
【００２２】
なお、収容部５は、１個に限られず、複数個設けられてもよい。収容部５を複数個備えることで、電池パック７を複数個接続することができ、電池パック７の接続数を増加させることでデジタルカメラ１の使用可能時間を増大させることができる。
【００２３】
図２（ａ）に示すメモリカード６は、例えばＳＤ（Secure Digital）メモリカードや、マルチメディアカード（ＭＭＣ）、その他種々のメモリカードを用いることができる。そして、メモリカード６は、例えば、略方形の板状にされた筐体６０の、一辺において表面に露出するように形成された接続端子６１〜６５と、筐体６０の内部に収容された記憶素子６６とを備えている。また、筐体６０には、逆差し防止用の切り欠き部６７が設けられている。
【００２４】
なお、記憶媒体は、メモリカードに限られず、例えば脱着可能なハードディスクドライブ装置や、光ディスク等であってもよい。
【００２５】
記憶素子６６は、例えばフラッシュメモリ等の半導体記憶素子である。接続端子６１は、例えばグラウンド（ＧＮＤ）にされており、記憶素子６６のグラウンド端子に接続されている。接続端子６５は、例えば記憶素子６６の電源端子に接続されている。接続端子６２は、例えば記憶素子６６にクロック信号ＣＬＫを供給する接続端子である。接続端子６３は、例えば記憶素子６６のデータ信号ＤＡＴＡを入出力するための接続端子である。接続端子６４は、例えば記憶素子６６にコマンド信号ＣＭＤを供給する接続端子である。
【００２６】
図２（ｂ）に示す電池パック７の筐体７０は、図２（ａ）に示すメモリカード６の筐体６０と同一の外形にされている。そして、筐体７０には、切り欠き部６７と同様の切り欠き部７８が設けられている。そして、電池パック７の筐体７０には、筐体６０において接続端子６１〜６５が設けられている位置に、接続端子７１〜７５が設けられている。さらに、筐体７０には、筐体６０には接続端子が設けられていない位置に、判別部の一例である接続端子７６が設けられている。また、筐体７０の内部に、例えばアルカリ電池等の一次電池７７が収容されている。
【００２７】
そして、例えば接続端子７１，７６は、一次電池７７の負極に接続されている。これにより、接続端子７６は、判別用電圧として０Ｖを生じる判別部として機能する。また、接続端子７５は、一次電池７７の正極に接続されている。接続端子７２〜７４は、開放されている。なお、接続端子７２〜７４は、無くてもよい。
【００２８】
図３は、図１に示すデジタルカメラ１の電気的構成の一例を示すブロック図である。図３に示すデジタルカメラ１は、接続端子１１〜１６、二次電池４、撮影回路１０１、メモリＩ／Ｆ回路１０２（アクセス部）、充電回路１０３（充電部）、バッファ１０４、電源端子１０５，１０６、抵抗Ｒ１、及びスイッチＳＷ１を備えて構成されている。
【００２９】
二次電池４は、デジタルカメラ１の主電源として用いられる蓄電素子である。二次電池４は、例えばリチウムイオン二次電池や、ニッケル水素二次電池、ニッケルカドミウム電池、ニッケル亜鉛電池、酸化銀電池など、充放電サイクル使用が可能な電池であれば、いずれでもよい。また、蓄電素子として、二次電池の代わりに例えば電気二重層コンデンサ等の大容量のキャパシタを用いてもよい。
【００３０】
そして、二次電池４の正極が電源端子１０５に接続され、二次電池４の負極が電源端子１０６に接続されるようになっている。電源端子１０５，１０６は、例えば電極端子やコネクタ等、二次電池４を脱着可能なものでもよく、例えば配線基板に設けられたはんだ付け用のスルーホールやパッド等、二次電池４を固定的に接続するものであってもよい。二次電池４は、例えば電池パックのように、デジタルカメラ１から取外し可能であってもよく、固定的に取り付けられていてもよい。
【００３１】
接続端子１１，１２，１３、１４、１５，１６は、収容部５の内部に配設されており、収容部５にメモリカード６が収容されると、メモリカード６の接続端子６１，６２，６３，６４，６５に、デジタルカメラ１の接続端子１１，１２，１３、１４、１５がそれぞれ接続され、収容部５に電池パック７が収容されると、電池パック７の接続端子７１，７２，７３，７４，７５，７６に、デジタルカメラ１の接続端子１１，１２，１３、１４、１５，１６がそれぞれ接続されるようになっている。
【００３２】
接続端子１１は、二次電池４の負極、すなわち回路グラウンドに接続されている。抵抗Ｒ１は、接続端子１６の電位をプルアップするプルアップ抵抗である。そして、接続端子１６に生じた電圧が、バッファ１０４に入力され、バッファ１０４から出力される種別信号Ｓ１が、スイッチＳＷ１、メモリＩ／Ｆ回路１０２、及び充電回路１０３へ出力される。
【００３３】
収容部５にメモリカード６が収容されると、メモリカード６には、接続端子１６と接続される端子が存在しないので、接続端子１６は開放される。そうすると、抵抗Ｒ１によって、接続端子１６の電位がハイレベルにプルアップされ、バッファ１０４の種別信号Ｓ１が、ハイレベルにされてスイッチＳＷ１、メモリＩ／Ｆ回路１０２、及び充電回路１０３へ出力される。
【００３４】
一方、収容部５に電池パック７が収容されると、電池パック７の接続端子７６と接続端子１６とが接続される。そうすると、接続端子７６は接続端子７１及び接続端子１１を介して二次電池４の負極と接続されるので、接続端子１６の電位は０Ｖとなり、バッファ１０４の種別信号Ｓ１が、ローレベルにされてスイッチＳＷ１、メモリＩ／Ｆ回路１０２、及び充電回路１０３へ出力される。
【００３５】
この場合、接続端子１６は、検出用接続端子の一例に相当している。また、抵抗Ｒ１とバッファ１０４とは、種別検出部及び制御部の一例に相当し、収容部５に電池パック７ではなくメモリカード６が収容されると種別信号Ｓ１はハイレベルにされ、収容部５に電池パック７が収容されると種別信号Ｓ１はローレベルにされる。
【００３６】
撮影回路１０１は、レンズ３により撮影された画像を取得し、画像データを生成する画像処理回路である。また、撮影回路１０１は、例えば液晶モニタ、光学ズーム機構の駆動用モータ、フラッシュ等の回路も含んでいる。
【００３７】
メモリＩ／Ｆ回路１０２は、種別信号Ｓ１がハイレベルの場合、すなわち、収容部５にメモリカード６が収容されている場合に、撮影回路１０１からメモリカード６をアクセスするためのインターフェイス回路である。
【００３８】
具体的には、メモリＩ／Ｆ回路１０２は、種別信号Ｓ１がハイレベルの場合、例えばクロック信号ＣＬＫを接続端子１２、及び接続端子６２を介して記憶素子６６へ出力しつつ、書き込み命令をコマンド信号ＣＭＤとして接続端子１４、及び接続端子６４を介して記憶素子６６へ出力し、さらに撮影回路１０１で生成された画像データをデータ信号ＤＡＴＡとして接続端子１３、及び接続端子６３を介して記憶素子６６へ出力することで、画像データをメモリカード６に記憶させる。
【００３９】
接続端子１５は、スイッチＳＷ１を介して電源端子１０５と接続されている。スイッチＳＷ１は、例えばトランジスタやリレースイッチ等のスイッチング素子である。スイッチＳＷ１は、種別信号Ｓ１がハイレベルの場合にオン、種別信号Ｓ１がローレベルの場合にオフするようにされている。これにより、スイッチＳＷ１は、収容部５にメモリカード６が収容されている場合にオンすることで、二次電池４からの電力を接続端子１５，６５を介して記憶素子６６へ供給し、記憶素子６６を動作させる。一方、スイッチＳＷ１は、収容部５に電池パック７が収容されている場合にオフすることで、二次電池４からの電力が、接続端子１５，７５を介して一次電池７７へ逆流することを防止するようになっている。
【００４０】
充電回路１０３は、例えばＤＣ−ＤＣコンバータを用いて構成されており、種別信号Ｓ１がローレベルの場合、すなわち収容部５に電池パック７が収容されている場合に、一次電池７７から出力された電力を、接続端子７５，１５を介して受電し、二次電池４の充電に適した電圧に変換して電源端子１０５へ出力し、二次電池４を充電する。また、充電回路１０３は、例えば二次電池４の出力電圧に応じて、充電を開始、停止、あるいは充電電流を調節する等の制御動作を行う。
【００４１】
上述のように構成されたデジタルカメラ１は、収容部５にメモリカード６が収容されると、抵抗Ｒ１とバッファ１０４とによって、種別信号Ｓ１がハイレベルにされる。そうすると、ハイレベルの種別信号Ｓ１に応じて、充電回路１０３による二次電池４の充電動作が停止され、スイッチＳＷ１がオンして二次電池４から記憶素子６６へ動作用の電力が供給され、メモリＩ／Ｆ回路１０２によってメモリカード６へのアクセスが行われる。
【００４２】
また、収容部５に電池パック７が収容されると、接続端子１６の電位が０Ｖとなり、バッファ１０４によって種別信号Ｓ１がローレベルにされる。そうすると、ローレベルの種別信号Ｓ１に応じて、メモリＩ／Ｆ回路１０２によるメモリカード６へのアクセスが停止され、スイッチＳＷ１がオフして二次電池４から電池パック７への電流の逆流が防止され、充電回路１０３によって、電池パック７から供給された電流に基づき、二次電池４が充電される。
【００４３】
これにより、デジタルカメラ１は、収容部５に収容されたメモリカード６にアクセスすることができる。そして、ユーザが、メモリカード６を収容するための収容部５に、メモリカード６の代わりに電池パック７を収容、取り付けすることで、補助電源である電池パック７から出力された電流によって、二次電池４を充電することができる。
【００４４】
この場合、電池パック７は、メモリカード６を収容するための収容部５に収容されて用いられるので、デジタルカメラ１の体積を増大させることがない。また、電池パック７は、収容部５に収容されて用いられるので、背景技術に係る電子機器のように、筐体２の外部に電池パック７が突出することがなく、デジタルカメラ１の使用感が低下することが抑制される。
【００４５】
なお、図２（ｂ）に示す電池パック７は、グラウンドとなる接続端子７１に接続された、接続端子７６を判別部として備える例を示したが、例えば図４に示す電池パック７ａのように接続端子７６を備えず、電池パック７ａにおける信号入出力端子である接続端子７２，７３，７４のうちの一つ、例えば接続端子７２と接続端子７１との間に抵抗Ｒ２を備える構成としてもよい。
【００４６】
この場合、抵抗Ｒ２の抵抗値（判別用インピーダンス）は、例えばメモリカード６における接続端子６２の入力インピーダンスよりも小さい値に設定されており、接続端子７２の入力インピーダンスが接続端子６２の入力インピーダンスと異なるようにされている。この場合、接続端子７２が、判別部の一例に相当している。なお、判別部として用いる接続端子は、接続端子７２に限らないが、信号入力専用に用いられる接続端子を判別部として用いる方が、入力インピーダンスを設定することが容易であるので判別部に適している。
【００４７】
図５は、電池パック７ａを用いるデジタルカメラ１ａの構成の一例を示すブロック図である。図５に示すデジタルカメラ１ａは、接続端子１６を備えず、抵抗Ｒ１とバッファ１０４との接続点が、接続端子１２に接続されている。そして、抵抗Ｒ１の抵抗値は、例えば抵抗Ｒ２よりも大きな値に設定されている。この場合、接続端子１２は、検出用接続端子の一例に相当している。
【００４８】
そして、収容部５にメモリカード６が収容されると、接続端子６２、及び接続端子６２に接続される接続端子１２の入力インピーダンスは高いので、バッファ１０４の入力電圧は抵抗Ｒ１でプルアップされてハイレベルになり、バッファ１０４からハイレベルの種別信号Ｓ１が出力される。一方、収容部５に電池パック７ａが収容されると、バッファ１０４の入力電圧は、抵抗Ｒ１と抵抗Ｒ２との分圧比により決定される。そうすると、抵抗Ｒ１の抵抗値は抵抗Ｒ２よりも大きな値に設定されているため、バッファ１０４の入力電圧はローレベルにされ、バッファ１０４からローレベルの種別信号Ｓ１が出力される。この場合、抵抗Ｒ１及びバッファ１０４は、インピーダンス検出部、種別検出部、及び制御部の一例に相当している。
【００４９】
この場合、電池パック７ａに、メモリカード６には接続端子が配置されていない箇所に接続端子７６を設ける必要がない。従って、筐体７０にメモリカード６にはない新たな接続端子を設ける空きスペースがない場合であっても、メモリカード６に設けられた接続端子６２と筐体７０における同一位置に設けられた、接続端子７２を判別部として用いることができ、判別部を設けることが容易となる。
【００５０】
また、例えば、図６に示す電池パック７ｂのように、切り欠き部７８の一部に突起部７９を備え、メモリカード６の筐体６０と、電池パック７ｂの筐体７０ｂとで形状が異なるようにしてもよい。この場合、突起部７９が、判別部の一例に相当している。なお、判別部は、突起部７９のように、メモリカード６の筐体６０の形状に対して凸状にされる例に限られず、凹状に切り欠かれた形状にされることで、形状が異なるようにされてもよい。
【００５１】
そして、図６に示すデジタルカメラ１ｂの収容部５に、電池パック７ｂを取り付けた場合に、電池パック７ｂの突起部７９が当接されることにより押し込まれるようにされた、棒状部材１０７を備えたスイッチＳＷ２を設けてもよい。
【００５２】
スイッチＳＷ２は、例えば、収容部５に電池パック７ｂが収容された場合に棒状部材１０７が突起部７９によって押し込まれてオンし、収容部５にメモリカード６が収容された場合には、棒状部材１０７が押し込まれることがなくオフするようになっている。
【００５３】
図７は、電池パック７ｂを用いるデジタルカメラ１ｂの構成の一例を示すブロック図である。図７に示すデジタルカメラ１ｂは、抵抗Ｒ１とバッファ１０４との接続点が、スイッチＳＷ２を介してグラウンドに接続されている。そうすると、収容部５に電池パック７ｂが収容されてスイッチＳＷ２がオンすると、バッファ１０４の入力電圧はローレベルにされ、バッファ１０４からローレベルの種別信号Ｓ１が出力される。一方、収容部５にメモリカード６が収容されると、スイッチＳＷ２がオフして抵抗Ｒ１とバッファ１０４とによって、ハイレベルの種別信号Ｓ１が出力される。この場合、スイッチＳＷ２が形状検出部の一例に相当し、抵抗Ｒ１とバッファ１０４とが種別検出部及び制御部の一例に相当している。
【００５４】
これにより、電気的な接続端子を用いずに、電池パック７ｂとメモリカード６とを判別して用いることができるので、筐体７０に、メモリカード６にはない新たな接続端子を設ける空きスペースがない場合であっても、電池パック７ｂに判別部を設けることができる。また、デジタルカメラ１ａのように、メモリカード６のアクセスに用いられる接続端子１２に、インピーダンス検出用の抵抗Ｒ１を取り付ける必要がないので、メモリカード６のアクセスに用いられる信号に影響を与えることがない。
【実施例】
【００５５】
本発明に係る電池パック及び電子機器の一例として、図２（ｂ）に示す電池パック７と、図３に示すデジタルカメラ１とを作製した。二次電池４は角型リチウムイオン電池３４ｍｍ×５０ｍｍ×厚さ１０ｍｍのものを用いた。充電回路１０３は、充電の際、二次電池４の電圧を測定しながら電圧が４．２Ｖに到達するまで二次電池４の充電を継続させ、４．２Ｖに到達すると充電を完了させるようにした。
【００５６】
図２（ｂ）に示す電池パック７を、ＳＤメモリカードサイズの薄型アルカリ電池として、以下のように作製した。まず、ＳＤメモリカード形状で外面が樹脂、内面が浅い有底金属カップで構成された、正極ケース、及び負極ケースを作製した。浅い有底金属カップは、正極ケース側を、ニッケルメッキを施した鉄、負極ケース側を、銅で形成した。また、筐体７０には、樹脂成型したのち、浅い有底金属カップと外部端子とを接続するための配線を設けた。樹脂と浅い有底金属カップは、樹脂と金属を接続する接着剤を介して密着させた。正極ケースの内面には黒鉛塗装膜を形成させ、正極活物質である東ソー（株）製アルカリ電池用電解二酸化マンガンＨＨ−ＰＦと、導電剤である人造黒鉛とを９５：５の重量比率で混合し、得られた混合物１００重量部に対して４０重量％水酸化カリウム水溶液を３重量部を加え、ケース内にプレス成型して加圧密着させた。負極ケース内には、負極活物質である亜鉛合金とゲル化剤であるポリアクリル酸とを９７：３の重量比率で混合し、得られた混合物と４０重量％水酸化カリウム水溶液とを１００：４５の重量比率で混合した負極ゲルを充填した。活物質を充填した正極ケース、及び負極ケースは、ポリビニルアルコール繊維とレーヨン繊維を主体として混抄した不織布セパレータを介して活物質が対向するように組合わされ、樹脂部を熱溶着して電池とされる。この電池は、電圧１．４V、容量１２０ｍＡｈである。
【００５７】
（実施例１）
デジタルカメラ１の収容部５は一つとし、これをスロットＡとした。また、収容部５と充電回路１０３との間には、薄型アルカリ電池の電圧を５Ｖまで高めるための図略の昇圧回路を設けた。
【００５８】
（実施例２）
デジタルカメラ１に収容部５を二つ設け、これをスロットＡ，Ｂとした。それ以外は実施例１と同じ構成のデジタルカメラを作製した。
【００５９】
（実施例３）
デジタルカメラ１に収容部５を三つ設け、これをスロットＡ，Ｂ，Ｃとした。それ以外は実施例１と同じ構成のデジタルカメラを作製した。
【００６０】
（比較例１）
実施例１のデジタルカメラ１から、充電回路１０３、バッファ１０４、抵抗Ｒ１、及びスイッチＳＷ１を取り除いたデジタルカメラを作製した。
【００６１】
上述の実施例１〜３、及び比較例のデジタルカメラを用い、主電源の二次電池４を満充電（ＳＯＣ１００％）した後、撮影可能枚数の比較により電池寿命測定の評価試験を行った。撮影時は、各デジタルカメラのスロットＡにＳＤメモリカード、スロットＢおよびＣには電池パック７を挿入した状態とした。
【００６２】
試験は、温度２３℃、液晶モニターをオンさせた状態で３０秒毎に１回撮影、撮影毎に光学ズームを広角側と望遠側で交互に繰り返して端点まで移動し、２回に１回フラッシュをフル発光、１０回に１回電源オフ／オンする条件で撮影を行った。さらに、３０回撮影ごとに、比較例を除く実施例１〜３は、スロットＡのＳＤメモリカードを電池パック７に入れ替えて二次電池４の充電を行い、１時間後に再び電池パック７をＳＤメモリカードに入れ替える方法で撮影を行った。
【００６３】
その結果、撮影可能枚数は、実施例１で１９２枚、実施例２で２３４枚、実施例３で２９５枚、比較例で１６０枚となった。これにより、電池パック７を用いた実施例１〜３は、電池パック７を用いない比較例よりも撮影可能枚数が増加した。さらに、実施例１〜３は、スロット数を増加させ、薄型アルカリ電池をより多く搭載するほど、撮影可能枚数が増加することが確認できた。
【産業上の利用可能性】
【００６４】
脱着可能な記憶媒体を本体内に収容可能にされた電子機器、及びこのような電子機器の補助電源として用いる電池パックに利用することができる。
【図面の簡単な説明】
【００６５】
【図１】本発明の一実施形態に係る電子機器の一例であるデジタルカメラの構成を示す斜視図である。
【図２】（ａ）は、図１に示すデジタルカメラで用いられるメモリカードの構成の一例を示す概念図である。（ｂ）は、図１に示すデジタルカメラで用いられる電池パックの構成の一例を示す概念図である。
【図３】図１に示すデジタルカメラの電気的構成の一例を示すブロック図である。
【図４】図２（ｂ）に示す電池パックの変形例を示す概念図である。
【図５】図４に示す電池パックを用いるデジタルカメラの構成の一例を示すブロック図である。
【図６】図２（ｂ）に示す電池パックの変形例を示す概念図である。
【図７】図６に示す電池パックを用いるデジタルカメラの構成の一例を示すブロック図である。
【符号の説明】
【００６６】
１，１ａ，１ｂ  デジタルカメラ
２  筐体
３  レンズ
４  二次電池
５  取付部
６  メモリカード
７，７ａ，７ｂ  電池パック
１１〜１６  接続端子
６０，７０，７０ｂ  筐体
６１〜６５  接続端子
６６  記憶素子
７１〜７６  接続端子
７７  一次電池
７９  突起部
１０１  撮影回路
１０２  メモリＩ／Ｆ回路
１０３  充電回路
１０４  バッファ
１０５，１０６  電源端子
Ｒ１，Ｒ２  抵抗
Ｓ１  種別信号
ＳＷ１，ＳＷ２  スイッチ
【図１】
2008034260.tif 000003
【図２】
2008034260.tif 000004
【図３】
2008034260.tif 000005
【図４】
2008034260.tif 000006
【図５】
2008034260.tif 000007
【図６】
2008034260.tif 000008
【図７】
2008034260.tif 000009